(57)【特許請求の範囲】
【請求項１】
鉄骨工事現場の柱部材接続部に設けられる仮設足場であって、予め柱部材に取付けられるリーチフレームと、このリーチフレームの下端に回動可能に連結されて、前記リーチフレームに対して直角な水平状態で支持される可動フレームとを備え、前記リーチフレームと前記可動フレームとが、それぞれ左右一対の組合せからなっており、前記一対の可動フレームの基端部と先端部とに摺動パイプが直交して設けられていて、これらの摺動パイプ内に、両端が連結辺により連結された平行な一対のバーからなるアウトフレームが摺動自在に挿通支持されており、このアウトフレーム及び可動フレームの上に踏板が配置されている鉄骨工事用仮設足場。
【請求項２】
リーチフレームと、このリーチフレームの下端に回動可能に連結される可動フレームとが、それぞれ左右一対の組合せからなっており、これらのリーチフレームと可動フレームとがアウトフレームに対して水平方向に摺動自在に支持されて
、立設される柱部材の幅に応じ、一方のリーチフレーム及び可動フレームと、他方のリーチフレーム及び可動フレームとの間隔を、アウトフレームに沿って移動可能とした請求項１の鉄骨工事用仮設足場。
【請求項３】
柱部材における両側面の上下部分に一対の支持突辺を突設し、左右一対のリーチフレームの背面上下両端部にも同様な支持突辺を同じ間隔で突設して、可動フレームをアウトフレームに沿って移動することで、左右一対のリーチフレームの背面の支持突辺の位置間隔を柱部材の両側面における一対の支持突辺の位置間隔に適合させて、それぞれ適合する位置の支持突辺を互いにボルトにより接続させた請求項１又は２の鉄骨工事用仮設足場。
【請求項４】
アウトフレームの両端に連結される連結辺を、アウトフレームバーの位置に対して、汎用の踏板の厚さ分だけ上方に位置するように配置し、この連結辺に汎用の踏板の両端に突設されたフックを係止して、踏板をアウトフレーム上に載置した請求項１の鉄骨工事用仮設足場。
【請求項５】
アウトフレームの両端上方に連結する連結辺を、アウトフレームの両端に、上方へ向けて突設したアームを介してアウトフレームの長さ方向に沿った内外両側方向へ揺動可能なるように連結し、踏板のメーターサイズあるいはインチサイズ長さに応じて、連結辺の突設角度を選定できるようにした請求項１又は４の鉄骨工事用仮設足場。
【発明の詳細な説明】
【０００１】
【発明の属する技術分野】
本発明は、鉄骨建築物の工事現場において、柱部材を互いに接続するための作
業に使用される仮設足場の改良に関するものである。
【０００２】
【従来の技術】
従来より、鉄骨建築物の工事現場においては、下方の柱部材の上端に次の柱部材の下端を接続するための柱接続作業に際して、下方の柱の周囲に仮設足場を設けて、作業員がこの足場の上でクレーンにより吊上げられた上方の柱を下方の柱に接続してボルト止めする。一方、この仮設足場は、所定の階層の柱部材の接続作業が終了した後は柱部材の接続部から外して、次の上方の柱接続部に取付けられるようにして使用される。
【０００３】
このように仮設足場は、所定の階層の柱部材の接続作業が終了した後は、その柱部材の接続部から外して、次の上方の柱接続部に取付けられるように使用されるので、柱部材の接続作業が終了した後は、高所で簡単に取り外すことができて、しかも簡単に上方の次の接続作業部へ移送して、その場で直ちに取付けられるものでなければならない。そのような理由から従来では、この種の仮設足場として、特開平７−３００９８７号、特開平７−６２８５６号などに記載された構造が知られている。
【０００４】
上記の仮設足場のうち、特開平７−３００９８７号の仮設足場は、柱部材の側面にフックを設けると共に、足場板には前記フックが挿入されるための装着孔を設けて、足場板の装着孔を柱部材のフックに引っ掛けるようにして、足場板を柱部材に連結するようにしたものである。
【０００５】
一方、特開平７−６２８５６号の仮設足場は、柱部材の側面にリング、フレームの背面にはフックを設けて、フレームのフックを柱部材のリングに引っ掛けるようにしてフレームを柱部材に取付け、このフレームの上端には中央足場板を水平方向と垂直方向とに回転できるように取付けると共に、この中央足場板の両端には左右一対の付属足場板を、折り畳み及び左右展開が可能なるように連結したものである。
【０００６】
【発明が解決すべき課題】
上記の従来形仮設足場は、いずれも、足場板を柱部材に取付けたり取り外すための手段として、フックとその吊り孔とを利用するので、足場板の柱部材への着脱が一見して簡単に行えるように見受けられる。しかしながら、これらの従来形の仮設足場は、その部品として、従来よりこの種の工事現場で広く使用されている既製品の踏板や手摺パイプなどは使わずに、仮設足場の構造に適合した独自の形状の足場板を使用するものであるために、柱部材への着脱がさほど簡単に行えないという問題点を有している。
【０００７】
例えば、特開平７−３００９８７号の仮設足場では、足場板の構造として、柱部材から突出したフックが挿入するための装着孔を設けたり、そのフックと装着孔とをロックするための楔形固定具を設けなければならず、また、足場板の周囲に設ける手摺りも、この足場板に適合した形状のものとしなければならないので、仮設足場全体の形状及び重量がきわめて大きなものとなり、高所で作業員が一人で着脱操作することは不可能で、柱部材への装着、取り外し操作にはクレーンを使用しなければならないという問題点を有している。
【０００８】
一方、特開平７−６２８５６号の仮設足場は、足場板が中央足場板とその両端に回転可能に連結された左右一対の折畳み式の付属足場板とからなるため、中央足場板は下面が足場フレームにより支持されて耐久性について問題はなく安全であるが、この中央足場板の両端に連結される左右一対の付属足場板は、いずれも下面を支えるものがなにもなく、中央足場板との連結部だけで作業員の体重を支えなければならないので、足場板としての耐久性がなく、安全性に欠けるという問題点を有している。
【０００９】
さらに、この仮設足場は、柱部材の側面に設けられたリングに、足場フレームの背面に設けたフックを引っ掛けるようにして柱部材に取付ける構造であるため、柱部材の側面に設けられる左右のリングの幅間隔と、仮設足場のフレーム背面に設けられる左右のフックの幅間隔とが常に同じでなければならず、当然のことながら、柱部材の幅（鉄骨柱の左右フランジ間隔）は、建築物の規模に応じて常に相違するものであるから、仮設足場のフレーム背面の左右のフック幅間隔を、柱部材に設けられる左右のリング幅間隔に応じて、工場あるいは工事現場で付け替えなければ柱部材に取付けられないという問題点を有している。
【００１０】
【課題を解決するための手段】
本発明は上記のような従来におけるこの種の仮設足場の問題点を解消し、足場板に既設の踏板を利用するので、軽量で、かつ安全性が高く、しかも高所で作業員が一人で簡単に柱部材への取付け、取り外しを行えるようにした仮設足場の提供を目的としたものである。
【００１１】
【課題を解決するための手段】
本発明の鉄骨工事用仮設足場は、そのための具体的手段として、鉄骨工事現場の柱部材接続部に設けられる仮設足場であって、予め柱部材に取付けられるリーチフレームと、このリーチフレームの下端に回動可能に連結されて、前記リーチフレームに対して直角な水平状態で支持される可動フレームと、前記可動フレームに直交して水平方向に摺動自在に支持されるアウトフレームと、このアウトフレーム及び可動フレーム上に配置される踏板とからなることを特徴とする。
【００１２】
リーチフレームと、このリーチフレームの下端に回動可能に連結される可動フレームとは、それぞれ左右一対の組合せにより構成すると共に、一対の可動フレームの基端部と先端部とにはそれぞれ摺動パイプを直交して設けて、これらの摺動パイプ内に、両端が連結辺により連結された平行な一対のパイプからなるアウトフレームが摺動自在に挿通支持さているような構成とすることが好ましい。
【００１３】
また、リーチフレームと、このリーチフレームの下端に回動可能に連結される可動フレームとは、それぞれ左右一対の組合せにより構成すると共に、これらのリーチフレームと可動フレームとがアウトフレームに対して水平方向に摺動自在に支持されて、立設される柱部材の幅に応じ、一方のリーチフレーム及び可動フレームと、他方のリーチフレーム及び可動フレームとを、アウトフレームに沿って移動できるように構成されている。
【００１４】
さらに、可動フレームに直交して水平方向に摺動自在に支持されるアウトフレームは、可動フレームと摺動自在に支持されるメインフレームと、このメインフレーム内に沿って摺動自在に挿通支持されたサブフレームとのような複数のフレームパイプの組合せにより構成してもよい。
【００１５】
足場を柱部材に取付けるための手段としては、柱部材における両側面の上下部分に一対の支持突辺を突設すると共に、左右一対のリーチフレームの背面上下両端部にも同様な支持突辺を同間隔で突設して、可動フレームをアウトフレームに沿って移動することで、左右一対のリーチフレームの背面の支持突辺の位置間隔を柱部材の両側面における一対の支持突辺の位置間隔に適合させて、それぞれ適合する位置の支持突辺を互いにボルトにより接続するような構成が好ましい。
【００１６】
さらに、アウトフレームの両端に連結される連結辺は、アウトフレームバーの位置に対して、汎用の踏板の厚さ分だけ上方に位置するように配置して、アウトフレームの上に汎用の踏板を載置した時に、この踏板の両端に突設されたフックが連結辺の両端に係止されて、踏板がアウトフレーム上に安定よく載置されるような構造とすることが好ましい。
【００１７】
また、アウトフレームの両端上方に連結される連結辺は、アウトフレームの両端に上方へ向けて突設したアームを介して、アウトフレームの長さ方向に沿った内外両側方向へ揺動可能なるように連結し、連結辺の突設角度を踏板のメーターサイズあるいはインチサイズ長さに合わせて適宜選定し、踏板がメーターサイズであってもインチサイズであっても自由に適応できるようにしてもよい。
【００１８】
【作用】
本発明の仮設足場では、リーチフレームを予め柱部材の両側面に、例えば、ボルト、フック等の連結手段を用いて取付けるが、このリーチフレームと接続する可動フレームは、アウトフレームに対して摺動自在に接続されているので、リーチフレームを連結する柱部材の幅間隔（鉄骨柱の左右フランジ間隔）が工事現場により異なっていても  現場でリーチフレーム及び可動フレームとをアウトフレームに沿って移動することにより、リーチフレームの取付け位置を柱部材のフランジ位置等に合わせることができ、フランジ間隔幅の大きい柱部材あるいはフランジ間隔幅の小さい柱部材等、どのような幅の柱部材に対しても簡単に取付けることができる。
【００１９】
また、この種の仮設足場は、予め地上で柱部材に取付けられた状態でクレーンによって既設の柱部材の接続位置へ吊り上げられるが、柱部材をクレーンで吊り上げる時に、足場板が柱部材の側面に既に水平に開いた状態で取付けられていると、吊り上げの途中で開いた足場板が周囲にぶつかって吊り上げ作業に障害を与えることになる。
【００２０】
そのため、地上で仮設足場を柱部材に取付ける時には、図３に示すように、足場板の表面を柱部材の側面と接するように折り畳んで、余分な出っ張りが生じないように柱部材へ取付けておき、柱部材が上方へ吊り上げられた後に、足場板を柱部材の側面に対して水平方向に展開する。その時、それぞれの足場板を図３に示したような状態のままで下方へ開くと、柱部材の隅角部外側に足場板の欠落したコーナー空間部が生ずることになる。
【００２１】
このような場合、本発明の仮設足場では、アウトフレームと可動フレームとが摺動自在に接続されているので、吊り上げられた場所で、図４のように、一方の仮設足場のアウトフレームを、固定された可動フレームに対して柱部材の隅角部外側方向へスライドさせてから水平方向へ開くと、柱部材の隅角部外側にもコーナー足場板を備えたた仮設足場を設けることができる。
【００２２】
【発明の実施の形態】
次に、本発明に係る仮設足場の構造を実施例により説明すると、図１は使用状態における仮設足場の構造を示しており、足場１の構成を判りやすく説明するために、踏板１３を離して表示している。この足場１は、柱部材２の接続部２ａ付近に取付けられるリーチフレーム３と、このリーチフレーム３の下端に回動可能に連結されて、前記リーチフレーム３に対して直角な水平状態で支持される可動フレーム４と、前記可動フレーム４に直交して水平方向に摺動自在に支持されるアウトフレーム５とから基本的に構造されている。
【００２３】
前記リーチフレーム３と、このリーチフレーム３の下端にヒンジ６を介して回動可能に連結される可動フレーム４とは、それぞれ左右一対の組合せにより構成すると共に、一対の可動フレーム４の基端部と先端部とにはそれぞれ摺動パイプ７が直交するように設けられていて、これらの摺動パイプ７内に、両端にパイプ製連結辺８を連結した長さ１５００ｍｍ程の平行な一対のバーパイプ５ａからなる前記アウトフレーム５が摺動自在に挿通支持されている。なお、図２に示すように、前記摺動パイプ７には内側のアウトフレーム５を圧着して、アウトフレーム５の位置を可動フレーム４に固定するためのボルト１５が設けられている。
【００２４】
この仮設足場１は、柱部材２が地上にあるときに、予め柱部材２の所定位置に取付けられるが、取付け手段としては、予め柱部材２の左右のフランジ２ｂ，２ｃにおける上下２箇所には支持突辺９を溶接しておくと共に、左右一対のリーチフレーム３の背面上下両端部にも同様な支持突辺１０を同じ間隔で突設しておき、左右の可動フレーム４をアウトフレーム５に沿って移動することで、左右一対のリーチフレーム３の背面の支持突辺１０の位置間隔を、柱部材２の両側フランジ２ｂ，２ｃにおける支持突辺９の位置に適合させて、それぞれ適合する支持突辺９，１０を互いにボルト１１により接続する。
【００２５】
アウトフレーム４の両端に連結される連結辺８は、アウトフレーム５を構成するバーパイプ５ａの位置よりもアーム１２を介して、既製品の汎用踏板１３の厚さ程度分だけ上方に配置されていて、アウトフレーム５の上に踏板１３を載置した時に、この踏板１３の両端に突設されたフック１４が連結辺８の両端に係止されて、踏板１３がアウトフレーム５の上で動かないように支持される。踏板１３は既製品を利用することができるが、アウトフレーム５に適合する独自の形状のものであってもよい。
【００２６】
図３及び図４に示すように、柱部材１の隅角部両面に取付ける仮設足場としては、アウトフレーム５の上に長さ１５００ｍｍの既製品踏板１３を載置できるような長さの大きいタイプＡと、同じくアウトフレーム５の上に長さ９００ｍｍの既製品踏板１３を載置できるような長さの小さいタイプＢとを用いることが望ましい。
【００２７】
図１に示す仮設足場は、アウトフレーム５の両端上方にアーム１２を介して、連結辺８を取付けたが、このようにアーム１２により連結辺８の位置を固定する構造としたのは、アウトフレーム５の上に載置する踏板１３が、メーターサイズ用のものか、あるいはインチサイズ用のものかに特定されている場合である。
【００２８】
従って、アウトフレーム５の上に載置する踏板１３をメーターサイズ用、インチサイズ用のいずれにも使用できるようにするためには、図９に示すように、連結辺８を、アウトフレーム５の両端に突設したアーム１２に対して、アウトフレーム５の長さ方向に沿った内外両側方向へ揺動可能なるように連結し、連結辺８を外側位置でボルト１６により固定した場合はインチサイズ踏板用として、また、連結辺８を内側位置でボルト１６により固定した場合はメーターサイズ踏板用として使用すればよい。
【００２９】
なお、上記実施例では、可動フレーム４に摺動自在に支持されるアウトフレーム５が長さの一定のものとして説明したが、構造的特徴としては、アウトフレーム５が可動フレーム４に直交して水平方向に摺動自在に支持される構造であればよいので、例えば、図１０に示すように、アウトフレーム５０が、可動フレーム４０の摺動パイプ７０に摺動自在に支持されるメインフレーム５０ａと、このメインフレーム５０ａの両端内に挿入されて伸縮自在に支持されるような左右一対のサブフレーム５０ｂ，５０ｃとによって、長さが適宜調整できるような構造としてもよい。なお、上記のサブフレーム５０ｂ，５０ｃは、必ずしも２本である必要はなく、図示はしないが、メインフレーム５０ａの一端に挿入された１本のサブフレーム５０ｂであってもよい。
【００３０】
仮設足場の使用に際しては、図３に示すように、地上で柱部材２の隅角部両面にタイプＡの仮設足場１とタイプＢの仮設足場１とを取付ける。この取付けに際しては、両タイプＡ，Ｂとも、リーチフレーム３及び可動フレーム４の位置をアウトフレーム５に沿って移動させて、リーチフレーム３の支持突辺１０を柱部材２における支持突辺９の位置へ適合しボルトにより連結する。
【００３１】
その際、両足場１ともアウトフレーム５を互いに隣接する一端１Ａと１Ｂが、柱部材２の隅角部で突き合わされるような位置に配置し、この状態で柱部材２を上方へ吊り上げる。なお、図３では、アウトフレーム５の上に踏板１３が実線では示されていないが、実際には、鎖線で示すように、２つの足場ともアウトフレーム５の上に踏板１３が配置されている。また、足場１を地上から吊り上げる時には、特に図示はしなかったが、アウトフレーム５の先端の連結辺８の外側端には、手摺りを取付けるためのクランプを取付けておく。
【００３２】
次に、前記仮設足場１を取付けた柱部材２が吊り上げられたのち、図４のように、タイプＡの足場１のリーチフレーム３及び可動フレーム４はそのままの状態で、アウトフレーム５を一端１Ａが外側（図４の左側方向）へ大きく突出するようにスライドさせて、タイプＡの足場１とタイプＢの足場１とが互いにＴ字形に交差するように操作する。
【００３３】
そして、その状態で両方の足場１を可動フレーム４及びアウトフレーム５が水平になるように下方へ展開すると、図６に示すように柱部材２の隅角部外側にコーナー足場１Ｃが形成されることになり、柱部材２の外周に曲がり角のある安全な足場を簡単に設置することができる。
【００３４】
【発明の効果】
本発明による仮設足場は、柱部材２に接続されるリーチフレーム３と、このリーチフレーム３に回転可能に支持される可動フレーム４と、この可動フレーム４に摺動自在に支持されるアウトフレーム５とからなり、踏板１３は規格の合う既製品をアウトフレーム５の上に載置すればよく、しかも踏板は自由に取り外すことができて、踏板を外した足場自体の構成は前記３つのフレームだけで足りるため、全体の重量を従来の仮設足場に比較してはるかに軽量化することができ、工事現場での取り扱いが簡便で、扱いやすく、しかも価格としても従来品に比較してはるかに安価なものとすることができる。
【００３５】
また、この仮設足場では、踏板１３の下面が全長にわたりアウトフレーム５によって支持され、また、アウトフレーム５は可動フレーム４によって柱部材と一体なリーチフレーム３に支持されるため、踏板におけるどの部分でも作業員の体重を安全に支えることができ、足場板としての耐久性と安全性の高い商品とすることができる。
【００３６】
本発明の仮設足場では、柱部材２の両側へ取付けられるリーチフレーム３の下端に可動フレーム４が回転可能に支持されていて、この可動フレーム４に踏板１３を支持するアウトフレーム５が摺動自在に支持されるので、可動フレーム４をアウトフレーム５に沿って自由に移動することによって、リーチフレーム３をどのような幅の柱部材２にも取付けることができ、予め工場で柱部材２に支持突辺９を取付けておけば、現場でこの柱部材２における支持突辺９の取付け幅間隔に応じて可動フレーム４とリーチフレーム３の幅間隔を簡単に調整して柱部材２に取付けることができるので、どのような幅の柱部材にも簡単に取付けることができる。
【００３７】
さらに、従来のこの種の仮設足場では、本発明の図６に示すような、柱部材２の隅角部外側にコーナー足場１Ｃを設けることができないという問題があったが、本発明の仮設足場によれば、足場板を備えたアウトフレーム５が可動フレーム４に対してスライドできるので、柱部材２の隅角部両面に取付けた両側の足場板のうち、一方の足場板を一端が柱部材２の支持面より外側へ突出するように移動してから下方へ展開すれば、柱部材２の隅角部外側にコーナー足場１Ｃによる曲がり角のある足場板を設けることができ、安全の面から最適な仮設足場を提供することができる。
【図面の簡単な説明】
【図１】本発明に係る仮設足場の構成を示す斜視図。
【図２】可動フレームとアウトフレームとの接続構造を示す部分斜視図。
【図３】柱部材の隅角部両面に一対の仮設足場を取付けて吊り上げた時の斜視図。
【図４】柱部材の隅角部両面に取付けた一方の仮設足場を移動した状態の斜視図。
【図５】柱部材の隅角部両面に取付けた両方の仮設足場を展開した状態の平面図。
【図６】図５に示す展開した一対の仮設足場の構成を示す斜視図。
【図７】リーチフレームと可動フレームとの折り畳まれた状態を示す側面図。
【図８】リーチフレームに対し可動フレームを開いた状態を示す側面図。
【図９】アウトフレームの両端に設けられる連結辺の別の構成を示す正面図。
【図１０】アウトフレームの別の構成を示す断面図。
【符号の説明】
１：仮設足場、
１Ａ，１Ｂ：仮設足場一端、
１Ｃ：コーナー足場、
２：柱部材、
２ａ：柱部材接続部、
２ｂ，２ｃ：柱部材フランジ、
３：リーチフレーム、
４：可動フレーム、
５：アウトフレーム、
６：ヒンジ、
７：摺動パイプ、
８：連結辺、
９：支持突辺、
１０：支持突辺、
１１：ボルト、
１２：アーム、
１３：踏板、
１４：フック、
１５：ボルト、
１６：ボルト、
４０：可動フレーム、
５０：アウトフレーム、
５０ａ：メインフレーム、
５０ｂ，５０ｃ：サブフレーム
【図１】
0003898559.tif 000002
【図２】
0003898559.tif 000003
【図３】
0003898559.tif 000004
【図４】
0003898559.tif 000005
【図５】
0003898559.tif 000006
【図６】
0003898559.tif 000007
【図７】
0003898559.tif 000008
【図８】
0003898559.tif 000009
【図９】
0003898559.tif 000010
【図１０】
0003898559.tif 000011